(57)【要約】【課題】多様な運転モードを設定でき、かつ動力伝達効率の良好なハイブリッド駆動装置を提供する。【解決手段】内燃機関１と第１電動発電機２と出力部材５とが、少なくとも三つの回転要素によって差動作用を行う動力分配機構４に連結され、その出力部材５が少なくとも高低の二つの変速比を設定可能な変速機構６の出力側に連結され、かつその変速機構の入力側に第２電動発電機３が連結されているハイブリッド駆動装置であって、前記内燃機関と前記第２電動発電機とを選択的に連結するクラッチ機構８を更に備えている。【選択図】  図１
2008120139.tif 000002
【特許請求の範囲】
【請求項１】
内燃機関と第１電動発電機と出力部材とが、少なくとも三つの回転要素によって差動作用を行う動力分配機構に連結され、その出力部材が少なくとも高低の二つの変速比を設定可能な変速機構の出力側に連結され、かつその変速機構の入力側に第２電動発電機が連結されているハイブリッド駆動装置において、
前記内燃機関と前記第２電動発電機とを選択的に連結するクラッチ機構を更に備えていることを特徴とするハイブリッド駆動装置。
【請求項２】
前記変速機構は、トルクを伝達しないニュートラル状態を設定可能に構成され、かつ
前記クラッチ機構を係合状態とすることにより前記内燃機関と前記第２電動発電機とを連結するとともに前記変速機構をニュートラル状態とする出力スプリットモードを設定する第１モード設定手段を更に備えている
ことを特徴とする請求項１に記載のハイブリッド駆動装置。
【請求項３】
前記第１モード設定手段は、前記第１電動発電機の回転数が、前記内燃機関の回転方向とは反対の負の回転数の場合に前記出力スプリットモードを設定する手段を含むことを特徴とする請求項２に記載のハイブリッド駆動装置。
【請求項４】
前記第１モード設定手段は、前記第１電動発電機の回転数がゼロに近い所定回転数以下の状態で前記変速機構をニュートラル状態にし、かつその状態で前記内燃機関と前記第２電動発電機との回転数が同期した後に前記クラッチ機構を係合状態に切り替える手段を含むことを特徴とする請求項２または３に記載のハイブリッド駆動装置。
【請求項５】
前記内燃機関が停止している状態で前記変速機構をニュートラル状態とするとともに前記クラッチ機構を係合状態とし、その状態で前記第２電動発電機によって前記内燃機関を回転させる始動制御手段を更に備えていることを特徴とする請求項１に記載のハイブリッド駆動装置。
【請求項６】
前記変速機構をトルク伝達可能な減速状態に設定し、かつ前記クラッチ機構を係合状態として前記第２電動発電機を前記内燃機関に連結する機械直結減速モードを設定する第２モード設定手段を更に備えていることを特徴とする請求項１に記載のハイブリッド駆動装置。
【請求項７】
前記第２モード設定手段は、少なくともいずれか一方の電動発電機の負荷が相対的に大きい場合に前記機械直結減速モードを設定する手段を含むことを特徴とする請求項６に記載のハイブリッド駆動装置。
【請求項８】
前記第２モード設定手段は、前記変速機構の変速比を低速変速比から高速変速比に切り替えた後に前記機械直結減速モードに切り替える手段を含むことを特徴とする請求項６または７に記載のハイブリッド駆動装置。
【請求項９】
前記機械直結減速モードで前記内燃機関の出力トルクが増大した場合に前記第２電動発電機の出力トルクを低下させる電動発電機制御手段を更に備えていることを特徴とする請求項６ないし８のいずれかに記載のハイブリッド駆動装置。
【請求項１０】
前記第２モード設定手段は、前記機械直結減速モードを設定する場合に前記内燃機関と前記第２電動発電機との回転数が同期した時に前記クラッチ機構を係合させる手段を含むことを特徴とする請求項６ないし９のいずれかに記載のハイブリッド駆動装置。
【請求項１１】
前記第１電動発電機と前記動力分配機構と前記第２電動発電機とが同一軸線上に配置されるとともに、その動力分配機構が第１電動発電機と第２電動発電機との間に配置されていることを特徴とする請求項１ないし１０のいずれかに記載のハイブリッド駆動装置。
【請求項１２】
前記クラッチ機構は、噛み合い式のドグクラッチ機構によって構成され、かつ前記変速機構は、前記各変速比を設定するために係合および解放の各状態に切り替えられる摩擦式係合機構を備えていることを特徴とする請求項１ないし１１のいずれかに記載のハイブリッド駆動装置。
【請求項１３】
前記動力分配機構は、サンギヤとリングギヤとキャリヤとを回転要素とする遊星歯車機構によって構成されるとともに、前記内燃機関がその遊星歯車機構におけるいずれかの回転要素に連結され、前記第１電動発電機が他の回転要素に連結され、前記出力部材が更に他の回転要素に連結され、
前記クラッチ機構は、前記内燃機関が連結された前記回転要素と前記第２電動発電機とを選択的に連結するように構成されている
ことを特徴とする請求項１ないし１２のいずれかに記載のハイブリッド駆動装置。
【発明の詳細な説明】
【技術分野】
【０００１】
この発明は、車両の走行のための動力源として複数種類の動力装置を備えているハイブリッド駆動装置に関し、特に内燃機関と電動発電機とを差動作用のある動力分配機構を介して出力部材に連結し、さらに他の電動発電機を、変速比を切り替えることのできる変速機構を介して出力部材に連結したハイブリッド駆動装置に関するものである。
【背景技術】
【０００２】
車両用のハイブリッド駆動装置は、内燃機関と電動機もしくは発電機（以下、これらを合わせて電動発電機と記す）とを組み合わせ、これらを動力源とした駆動装置であるが、従来、電動発電機を単に駆動力の発生装置とせずに、内燃機関の回転数もしくは運転点の制御に使用することも行われている。その場合、内燃機関の回転数の制御に伴って電力が発生するので、これを他の電動発電機に供給し、これをモータとして動作させることにより、駆動力を発生させるようにしている。
【０００３】
その一例が特許文献１に記載されている。その基本的な構成を簡単に説明すると、特許文献１に記載された装置は、動力分配用遊星歯車機構を備え、そのキャリヤにエンジンが連結されるとともに、サンギヤに第１モータ・ジェネレータが連結され、さらにリングギヤに出力軸が連結されている。したがって、出力軸の回転数を一定とした場合、第１モータ・ジェネレータの回転数を変えることにより、エンジンの回転数を適宜に制御することができ、例えばエンジンが所定の動力を出力している状態で、第１モータ・ジェネレータを発電機として機能させてサンギヤに反力を与えることにより、エンジンを最適燃費点で運転し、かつエンジンの出力トルクを増幅して出力軸に出力することができる。
【０００４】
また、その出力軸には、変速比を高低に変化させることのできる変速機が連結され、その変速機の入力側に第２モータ・ジェネレータが連結されている。そして、その第２モータ・ジェネレータと第１モータ・ジェネレータとの間で電力を授受できるように構成されている。したがって、第１モータ・ジェネレータを発電機として機能させている状態では、その第１モータ・ジェネレータで発生した電力を第２モータ・ジェネレータに供給することにより、動力分配用遊星歯車機構で分配されたエンジンの動力の一部を、電力変換を伴って出力軸に伝達することができ、その結果、エネルギ効率のよい運転が可能であり、また必要十分な駆動力を得ることができる。
【０００５】
また、特許文献２には、エンジンと第１モータ・ジェネレータとを動力分配用の遊星歯車機構を介して互いに連結し、また第２モータ・ジェネレータを減速比が一定の減速歯車を介して出力部材に連結するクラッチと、第２モータ・ジェネレータをエンジンに連結する他のクラッチとを備えたハイブリッド駆動装置が記載されている。さらに、特許文献３には、エンジンと第１モータ・ジェネレータとを動力分配用の遊星歯車機構を介して互いに連結し、また第２モータ・ジェネレータを出力部材に連結するクラッチと、第２モータ・ジェネレータをエンジンに連結するクラッチとを備えたハイブリッド駆動装置が記載されている。
【０００６】
【特許文献１】特開２００４−６６８９８号公報
【特許文献２】特開２００４−３３６９８３号公報
【特許文献３】特開平１１−３３２０１８号公報
【発明の開示】
【発明が解決しようとする課題】
【０００７】
上述した特許文献１に記載された装置では、これを搭載した車両の運転状態が高車速低負荷になると、エンジンの回転数が低下するとともに、出力軸の回転数を増大させるので、第１モータ・ジェネレータは負方向（エンジンの回転方向とは反対の回転方向）に回転させ、モータとして機能させることになる。その場合、第２モータ・ジェネレータは、出力軸との間に設けられた変速機の変速比に応じて増速されて回転し、発電を行う。その電力は、第１モータ・ジェネレータに供給される。このように、高車速低負荷の場合には、エンジンが出力した動力の一部が、電力変換を伴って再度、エンジンの出力軸に加えられる状態、すなわち動力循環が生じ、動力損失が大きくなって燃費の向上効果が減殺される可能性がある。また、特許文献２あるいは３に記載されている装置では、第２モータ・ジェネレータと出力軸との間の変速比を変えることができないので、車両の走行状態もしくは駆動要求状態に適した運転モードを設定しにくく、エネルギ効率あるいは動力の伝達効率を向上させるための改善の余地があった。
【０００８】
この発明は上記の技術的課題に着目してなされたものであり、簡単な構成で運転モードを多様化し、かつ動力の伝達効率を向上させることのできるハイブリッド駆動装置を提供することを目的とするものである。
【課題を解決するための手段】
【０００９】
上記の目標を達成するために、請求項１の発明は、内燃機関と第１電動発電機と出力部材とが、少なくとも三つの回転要素によって差動作用を行う動力分配機構に連結され、その出力部材が少なくとも高低の二つの変速比を設定可能な変速機構の出力側に連結され、かつその変速機構の入力側に第２電動発電機が連結されているハイブリッド駆動装置において、前記内燃機関と前記第２電動発電機とを選択的に連結するクラッチ機構を更に備えていることを特徴とするものである。
【００１０】
請求項２の発明は、請求項１の発明において、前記変速機構は、トルクを伝達しないニュートラル状態を設定可能に構成され、かつ前記クラッチ機構を係合状態とすることにより前記内燃機関と前記第２電動発電機とを連結するとともに前記変速機構をニュートラル状態とする出力スプリットモードを設定する第１モード設定手段を更に備えていることを特徴とするハイブリッド駆動装置である。
【００１１】
請求項３の発明は、請求項２の発明において、前記第１モード設定手段は、前記第１電動発電機の回転数が、前記内燃機関の回転方向とは反対の負の回転数の場合に前記出力スプリットモードを設定する手段を含むことを特徴とするハイブリッド駆動装置である。
【００１２】
請求項４の発明は、請求項２または３の発明において、前記第１モード設定手段は、前記第１電動発電機の回転数がゼロに近い所定回転数以下の状態で前記変速機構をニュートラル状態にし、かつその状態で前記内燃機関と前記第２電動発電機との回転数が同期した後に前記クラッチ機構を係合状態に切り替える手段を含むことを特徴とするハイブリッド駆動装置である。
【００１３】
請求項５の発明は、請求項１の発明において、前記内燃機関が停止している状態で前記変速機構をニュートラル状態とするとともに前記クラッチ機構を係合状態とし、その状態で前記第２電動発電機によって前記内燃機関を回転させる始動制御手段を更に備えていることを特徴とするハイブリッド駆動装置である。
【００１４】
請求項６の発明は、請求項１の発明において、前記変速機構をトルク伝達可能な減速状態に設定し、かつ前記クラッチ機構を係合状態として前記第２電動発電機を前記内燃機関に連結する機械直結減速モードを設定する第２モード設定手段を更に備えていることを特徴とするハイブリッド駆動装置である。
【００１５】
請求項７の発明は、請求項６の発明において、前記第２モード設定手段は、少なくともいずれか一方の電動発電機の負荷が相対的に大きい場合に前記機械直結減速モードを設定する手段を含むことを特徴とするハイブリッド駆動装置である。
【００１６】
請求項８の発明は、請求項６または７に記載の発明において、前記第２モード設定手段は、前記変速機構の変速比を低速変速比から高速変速比に切り替えた後に前記機械直結減速モードに切り替える手段を含むことを特徴とするハイブリッド駆動装置である。
【００１７】
請求項９の発明は、請求項６ないし８のいずれかの発明において、前記機械直結減速モードで前記内燃機関の出力トルクが増大した場合に前記第２電動発電機の出力トルクを低下させる電動発電機制御手段を更に備えていることを特徴とするハイブリッド駆動装置である。
【００１８】
請求項１０の発明は、請求項６ないし９のいずれかの発明において、前記第２モード設定手段は、前記機械直結減速モードを設定する場合に前記内燃機関と前記第２電動発電機との回転数が同期した時に前記クラッチ機構を係合させる手段を含むことを特徴とするハイブリッド駆動装置である。
【００１９】
請求項１１の発明は、請求項１ないし１０のいずれかの発明において、前記第１電動発電機と前記動力分配機構と前記第２電動発電機とが同一軸線上に配置されるとともに、その動力分配機構が第１電動発電機と第２電動発電機との間に配置されていることを特徴とするハイブリッド駆動装置である。
【００２０】
請求項１２の発明は、請求項１ないし１１のいずれかの発明において、前記クラッチ機構は、噛み合い式のドグクラッチ機構によって構成され、かつ前記変速機構は、前記各変速比を設定するために係合および解放の各状態に切り替えられる摩擦式係合機構を備えていることを特徴とするハイブリッド駆動装置である。
【００２１】
請求項１３の発明は、請求項１ないし１２のいずれかの発明において、前記動力分配機構は、サンギヤとリングギヤとキャリヤとを回転要素とする遊星歯車機構によって構成されるとともに、前記内燃機関がその遊星歯車機構におけるいずれかの回転要素に連結され、前記第１電動発電機が他の回転要素に連結され、前記出力部材が更に他の回転要素に連結され、前記クラッチ機構は、前記内燃機関が連結された前記回転要素と前記第２電動発電機とを選択的に連結するように構成されていることを特徴とするハイブリッド駆動装置である。
【発明の効果】
【００２２】
請求項１の発明によれば、第２電動発電機と出力部材との間の変速機構における変速比を少なくとも高低に切り替えることができ、これに加えて内燃機関と第２電動発電機とをクラッチ機構によって直接連結できるので、設定可能な運転状態が従来になく多様化し、運転状態に合わせて運転モードを設定することにより動力の伝達効率を向上させることができる。
【００２３】
請求項２の発明によれば、変速機構をニュートラル状態とすることにより、第２電動発電機を出力部材から切り離すことができる。したがって、例えばこの発明はハイブリッド駆動装置を搭載した車両が高速巡航する場合、第２電動発電機を高速で回転させたり、それに伴う電力を第１電動発電機に供給してこれをモータとして機能させて大きくトルクを発生させたりする事態を回避もしくは抑制し、動力の伝達効率を向上させることができる。
【００２４】
請求項３の発明によれば、第１電動発電機がいわゆる負回転する場合、内燃機関と第２電動発電機とが連結されるとともに、第２電動発電機と出力部材との連結が断たれるので、第２電動発電機の回転数を増大させたり、それに伴って発生する電力を第１電動発電機に供給してこれをモータとして機能させたりする事態を回避もしくは抑制し、動力の伝達効率を向上させることができる。
【００２５】
請求項４の発明によれば、クラッチ機構を係合させる場合、回転数を予め同期させるので、クラッチ機構の係合による回転数の変化やそれに起因する回生トルクなどが防止もしくは抑制され、その結果、ショックや出力トルクの段差を回避もしくは抑制することができる。
【００２６】
請求項５の発明によれば、クラッチ機構によって第２電動発電機を内燃機関に連結した状態で第２電動発電機を駆動することによって内燃機関を始動することができる。その場合、変速機構がニュートラル状態になっていて第２電動発電機が出力部材に対して遮断されているので、内燃機関の始動に伴う反力が出力部材に現れることがなく、したがっていわゆる反力のキャンセルのための制御が不要になる。
【００２７】
請求項６の発明によれば、機械直結減速モードでは内燃機関が出力した動力の一部が動力分配機構を介して出力部材に伝達され、他の動力がクラッチ機構および第２電動発電機を介して出力部材に伝達される。そのため、内燃機関から出力部材に対していわゆる機械的手段によって伝達される動力の量が多くなり、その結果、動力の伝達効率を向上させることができる。
【００２８】
請求項７の発明によれば、電動発電の負荷が増大する場合には、機械直結減速モードが設定されて電力変換を伴う動力の伝達が抑制される。そのため、電動発電機の負荷を軽減して電気系統の耐久性を向上させ、また構成を簡素化でき、さらには電力変換に伴う動力損失を低減して動力の伝達効率を向上させることができる。
【００２９】
請求項８の発明によれば、クラッチ機構を係合状態として機械直結減速モードを設定する場合、変速機構の変速比を高速側の変速比に設定して第２電動発電機の回転数を低下させた後、クラッチ機構を係合させて第２電動発電機と内燃機関とを連結するので、機械直結減速モードに切り替えた後に内燃機関の回転数を相対的に低回転数に抑制することができる。
【００３０】
請求項９の発明によれば、第２電動発電機の出力トルクを相対的に小さくすることができるので、第２電動発電機を小型で小容量のものとすることができ、ひいてはハイブリッド駆動装置の全体としての構成を小型化することができる。
【００３１】
請求項１０の発明によれば、機械直結減速モードを設定する場合、クラッチ機構を係合させることになるが、その場合、いわゆる回転同期が成立し、もしくは成立に近い状態になってからクラッチ機構が係合するので、運転モードの切り替えに伴うショックを防止もしくは抑制することができる。
【００３２】
請求項１１の発明によれば、内燃機関側に外径の大きい部材を配置し、これとは反対側に外径が相対的に小さい部材を配置する構成を採ることが容易になり、その結果、車載性が向上し、特にいわゆる前置きエンジン後輪駆動車に対する車載性を向上させることができる。
【００３３】
請求項１２の発明によれば、出力スプリットモードを設定する場合、いわゆる係合機構としてはドグクラッチ機構のみを係合させることになるので、動力の伝達状態を維持して出力スプリットモードを設定しておくために消費する動力が殆ど不要になる。例えば摩擦式係合機構を係合状態に維持する油圧を消費しないので、オイルポンプ損失を低減し、エネルギ効率を向上させることができる。
【００３４】
請求項１３の発明によれば、上述した各請求項の発明と同様の効果を得ることができる。
【発明を実施するための最良の形態】
【００３５】
つぎにこの発明を具体例に基づいて説明する。図１はこの発明の一具体例を示す図であって、ここに示す具体例では、原動機（エンジン：ＥＮＧ）１と、発電機あるいは電動機として二つのモータ・ジェネレータ（ＭＧ１、ＭＧ２）２，３とが動力装置として設けられている。その原動機１は、要は内燃機関であって、ガソリンエンジンやディーゼルエンジン、あるいは天然ガスエンジンなどの燃料を燃焼して動力を出力する動力装置である。好ましくはスロットル開度などの負荷を電気的に制御でき、また所定の負荷に対して回転数を制御することにより燃費が最も良好な最適運転点に設定できる内燃機関である。以下の説明では、原動機１をエンジン１と記す。
【００３６】
このエンジン１が動力分配機構４に連結されている。動力分配機構４は、エンジン１が出力した動力を第１モータ・ジェネレータ２と出力側とに分配するための機構であって、三つの回転要素で差動作用をなす遊星歯車機構によって構成されている。具体的には、動力分配機構４は、シングルピニオン型遊星歯車機構やダブルピニオン型遊星歯車機構を用いて構成することができ、図１に示す例では、キャリヤＣfを入力要素、サンギヤＳfを反力要素、リングギヤＲfを出力要素としたシングルピニオン型遊星歯車機構によって構成されている。すなわち、外歯歯車であるサンギヤＳfの外周側に、内歯歯車であるリングギヤＲfがサンギヤＳfに対して同心円上に配置され、これらのサンギヤＳfとリングギヤＲfとに噛み合っているピニオンギヤがキャリヤＣfによって自転自在および公転自在に保持されている。そして、そのキャリヤＣfにエンジン１のクランクシャフトなどの出力用の部材が連結されている。なお、エンジン１とキャリヤＣfとの間に、発進用のクラッチやトルクコンバータ（ロックアップクラッチ付のトルクコンバータ）などの動力伝達機構を適宜に設けてもよいことは勿論である。
【００３７】
また、動力分配機構４のサンギヤＳfにこの発明における第１電動発電機に相当する第１モータ・ジェネレータ（ＭＧ１）２が連結されている。この第１モータ・ジェネレータ２は、一例として、ロータに永久磁石を備えた同期電動機によって構成され、発電機および電動機として機能するように構成されている。そして、そのロータがサンギヤＳfに連結され、ステータがケーシング（図示せず）などに固定されている。
【００３８】
さらに、リングギヤＲfが、この発明の出力部材に相当する出力軸５に連結されている。上記の第１モータ・ジェネレータ２および動力分配機構４は、エンジン１の回転中心軸線上にここに挙げた順序で配置されており、出力軸５はこれらエンジン１および第１モータ・ジェネレータ２ならびに動力分配機構４と同一軸線上に配置されている。
【００３９】
動力分配機構４を挟んで第１モータ・ジェネレータ２とは反対側に、この発明の第２電動発電機に相当する第２モータ・ジェネレータ（ＭＧ２）３が、同一軸線上に配置されている。この第２モータ・ジェネレータ３は、主として、第１モータ・ジェネレータ２で発電した電力を受けてモータとして機能することにより、いわゆるトルクアシストを行うためのものであり、要求される特性が前記第１モータ・ジェネレータ２とは異なるので、例えば第１モータ・ジェネレータ２よりも外径の小さい高回転数型のものが用いられている。また、第２モータ・ジェネレータ３は、前述した第１モータ・ジェネレータ２と同様にロータに永久磁石を備えた同期電動機によって構成されていて、発電機および電動機として機能するようになっており、そのロータが変速機構６の入力用の部材に連結され、かつステータがケーシング（図示せず）などに固定されている。
【００４０】
上記の各モータ・ジェネレータ２，３は発電機および電動機として機能するようになっており、そのためにこれらのモータ・ジェネレータ２，３は図示しないインバータなどのコントローラを介してバッテリーなどの蓄電装置に接続されている。そして、一方のモータ・ジェネレータ２，３によって発電した電力を他方のモータ・ジェネレータ３，２に供給して該他方のモータ・ジェネレータ３，２をモータとして機能させることができるように構成されている。
【００４１】
変速機構６は、第２モータ・ジェネレータ３の出力した動力を減速もしくは増速して出力軸５に伝達するための機構であって、少なくとも高低の二つの変速比に切り替えることができるように構成されている。より好ましくは、少なくとも二つの変速比とトルクを伝達しないニュートラル状態とを設定できるように構成されている。したがって、変速機構６は、低速用ギヤ対および高速用ギヤ対からなる機構や、一組の遊星歯車機構とクラッチおよびブレーキからなる機構、二つ組の遊星歯車機構を組み合わせた複合遊星歯車機構とブレーキなどの係合装置とからなる機構などによって構成することができる。図２にその一例を模式的に示してあり、ここに示す例は、いわゆるステップドピニオン型の遊星歯車機構７と二つのブレーキＢＨi，ＢＬoとによって構成されている。
【００４２】
具体的に説明すると、大径の第１サンギヤＳ１とこれより小径の第２サンギヤＳ２とが同一軸線上に隣接して配置されており、第１サンギヤＳ１に小径のピニオンギヤＰ１が噛み合っており、また第２サンギヤＳ２に相対的に大径のピニオンギヤＰ２が噛み合っている。そして、これらのピニオンギヤＰ１，Ｐ２はキャリヤＣによって自転かつ公転自在に保持されている。さらに、サンギヤＳ１，Ｓ２と同心円上に配置されたリングギヤＲが、一方のピニオンギヤ（例えば大径のピニオンギヤＰ２）に噛み合っている。そのリングギヤＲに前記第２モータ・ジェネレータ３のロータが連結され、したがってリングギヤＲが入力要素となっている。また、キャリヤＣが前記出力軸５に連結され、したがってキャリヤＣが出力要素となっている。さらに、大径の第１サンギヤＳ１がハイブレーキＢＨiに連結され、また小径の第２サンギヤＳ２がローブレーキＢＬoに連結されている。これらのブレーキＢＨi，ＢＬoはこの発明の摩擦式係合機構に相当し、一例として油圧を供給することにより係合してトルクを伝達し、油圧を抜くことにより解放状態となって伝達トルク容量が低下し、次第にトルクを伝達しなくなるように構成されている。
【００４３】
したがって、ハイブレーキＢＨiによって第１サンギヤＳ１を固定した状態で第２モータ・ジェネレータ３からリングギヤＲに動力を入力すると、第１サンギヤＳ１の歯数とリングギヤＲの歯数との比であるギヤ比に応じた減速作用が生じ、リングギヤＲに入力されたトルクが増幅されて出力軸５に伝達される。また、ローブレーキＢＬoによって第２サンギヤＳ２を固定した状態で第２モータ・ジェネレータ３からリングギヤＲに動力を入力すると、第２サンギヤＳ２の歯数とリングギヤＲの歯数との比であるギヤ比に応じた減速作用が生じ、リングギヤＲに入力されたトルクが増幅されて出力軸５に伝達される。その場合、第１サンギヤＳ１を固定した場合の減速比が、第２サンギヤＳ２を固定した場合の減速比より小さくなる。すなわち、ハイブレーキＢＨiを係合させることにより高速変速比が設定され、これに対してローブレーキＢＬoを係合させることにより低速変速比が設定される。さらに、各ブレーキＢＨi，ＢＬoを共に解放すると、変速機構６はトルクを伝達しないニュートラル状態になり、第２モータ・ジェネレータと出力軸５とが遮断される。したがって、変速機構６は高速変速比、低速変速比、ニュートラル状態の三つの態様に設定されるようになっている。
【００４４】
図１に示すハイブリッド駆動装置は、更に、エンジン１と第２モータ・ジェネレータ３とを選択的に連結するクラッチ機構８を備えている。このクラッチ機構８は、要は、エンジン１と第２モータ・ジェネレータ３もしくは変速機構６の入力要素とをトルク伝達可能に連結する機構であればよく、摩擦式の係合機構や噛み合い式の係合機構などを採用することができる。図１には、噛み合い式の係合機構であるドグクラッチを採用した例を示してあり、第２モータ・ジェネレータ３のロータに一体的に連結されているハブ９が、第２モータ・ジェネレータ３と動力分配機構４との間でこれらの外周側に配置されている。このハブ９にはスリーブ１０が軸線方向に前後動可能にスプライン嵌合している。また、そのスリーブ１０がスプライン嵌合可能な他のハブ１１が、前記ハブ９に隣接して配置されている。該他のハブ１１は、動力分配機構４におけるキャリヤＣfに一体となって回転するように連結されている。
【００４５】
したがって、クラッチ機構８は、スリーブ１０を図１の右側の位置に移動させた状態では、エンジン１と第２モータ・ジェネレータ３とが遮断された解放状態となり、スリーブ１０を図１の左側の位置に移動させることにより、スリーブ１０が前記他のハブ１１にスプライン嵌合して、エンジン１と第２モータ・ジェネレータ３とを連結する係合状態となるようになっている。このようなスリーブ１０の移動は、手動操作によって行うように構成してもよく、あるいは電気的に制御できる適宜のアクチュエータによって行うように構成してもよい。
【００４６】
図１に示すように、エンジン１側から第１モータ・ジェネレータ２、動力分配機構４、第２モータ・ジェネレータ３、変速機構６の順に配置した構成では、エンジン１側の外径が大きく、これとは反対側の外径が相対的に小さくなる。そのため、図１に示すように構成すれば、エンジン１を車両の前後方向に向けて搭載する前置きエンジン後輪駆動車に対する車載性が向上する。
【００４７】
上述したクラッチ機構８の係合・解放による運転モードの切り替え、および変速機構６における各ブレーキＢＨi，ＢＬoの係合・解放による変速もしくは運転モードの切り替え、ならびに各モータ・ジェネレータ２，３による回生・力行の制御を電気的に行うように構成されており、そのための電子制御装置（ＥＣＵ）１２が設けられている。この電子制御装置１２は、マイクロコンピュータを主体にして構成され、図示しないセンサによって検出されたデータや予め記憶しているデータを使用して演算を行い、その結果を制御指令信号として出力するように構成されている。
【００４８】
つぎに上述したハイブリッド駆動装置の作用について説明する。先ず、エンジン１を始動する場合について説明すると、エンジン１が通常の車両用エンジンと同様にスタータモータを備えていれば、そのスタータジェネレータによってエンジン１をモータリング（クランキング）してエンジン１を始動することができるが、これに替えて、前述した第２モータ・ジェネレータ３によってエンジン１をモータリングして始動することもできる。第２モータ・ジェネレータ３によってエンジン１をモータリングする場合、変速機構６における各ブレーキＢＨi，ＢＬoを解放し、かつクラッチ機構８を係合状態とする。具体的には、前記スリーブ１０を図１の左側に移動させて、各ハブ９，１１に対してスリーブ１０を係合させることにより、エンジン１と第２モータ・ジェネレータ３とをトルク伝達可能に連結する。これらクラッチ機構８および各ブレーキＢＨi，ＢＬoの係合・解放の制御は、前記電子制御装置１２からの制御指令信号によって行うことができ、したがって前記電子制御装置１２がこの発明の始動制御手段に相当している。
【００４９】
この状態で蓄電装置から第２モータ・ジェネレータ３に電力を供給してこれを駆動すると、エンジン１が第２モータ・ジェネレータ３によって回転させられ、エンジン１に燃料を供給し、ガソリンエンジンの場合には点火制御を行うことにより、エンジン１が始動される。その場合、変速機構６における各ブレーキＢＨi，ＢＬoが解放させられていて第２モータ・ジェネレータ３と出力軸５との連結が解かれているので、第２モータ・ジェネレータ３の出力トルクが出力軸５に伝達されることがなく、したがって出力軸５のトルクを変化させないようにするためのいわゆる反力をキャンセルする制御が不要になる。言い換えれば、特に制御を行うことなく出力軸５のトルク変動を防止でき、エンジン１の始動に伴うショックなどの違和感を回避もしくは抑制できる。
【００５０】
エンジン１を始動して発進する場合には、クラッチ機構８を解放してエンジン１と第２モータ・ジェネレータ３との連結を解き、また変速機構６ではローブレーキＢＬoを係合させて、その変速比を低速変速比に設定する。したがって、エンジン１が出力した動力は、動力分配機構４におけるキャリヤＣfに伝達されてサンギヤＳfとリングギヤＲfとに分配される。リングギヤＲfには出力軸５側から負荷が掛かっているので、サンギヤＳfおよびこれに連結されている第１モータ・ジェネレータ２が正回転（エンジン１またはキャリヤＣfと同方向の回転）するので、第１モータ・ジェネレータ２を発電機として機能させてサンギヤＳfに反力トルクを与えると、リングギヤＲfおよびこれに連結された出力軸５に正回転方向のトルクが作用する。
【００５１】
一方、第１モータ・ジェネレータ２で発電された電力は、第２モータ・ジェネレータ３に供給されてこれがモータとして機能するので、その出力トルクが変速機構６の変速比に応じて増幅されて出力軸５に伝達される。したがって、エンジン１が出力した動力の一部は、動力分配機構４を介して出力軸５に機械的に伝達され、かつ他の動力は電力変換を伴って出力軸５に伝達される。そして、動力分配機構４と変速機構６とにおいてトルクの増幅作用が生じることにより、出力軸５のトルクすなわち車両の駆動トルクを大きくすることができる。なお、この場合、出力軸５の回転数を変化させることなく、エンジン１の回転数を第１モータ・ジェネレータ２によって制御でき、こうすることによりエンジン１を最適燃費で運転することが可能である。
【００５２】
加速や登坂などのためにエンジン負荷が増大し、その回転数が増大すると、第１モータ・ジェネレータ２および第２モータ・ジェネレータ３の回転数が増大する。すなわち、第１モータ・ジェネレータ２の発電量が増大し、その電力が第２モータ・ジェネレータ３に供給されてこれが大きいトルクを出力するようになる。その状態を動力分配機構４および変速機構６についての共線図として図３に破線で示してある。この状態では、電力変換を伴う動力の伝達量が増大し、電気系統の負荷が増大する。そこで、モータ・ジェネレータ２，３の負荷が予め定めた判断基準値を超えて増大した場合には、機械直結減速モードに切り替えて動力伝達効率の低下を回避する。具体的には、クラッチ機構８を係合状態に切り替えてエンジン１と第２モータ・ジェネレータ３とを機械的に連結する。なお、その判定基準値は、実験あるいはシミュレーションを行って定めることができる。
【００５３】
この機械直結（パラレル）減速モードでの動作状態を図４に共線図で示してあり、これは上述したように、電気的な負荷が増大する低速高負荷時に設定される運転モードである。この機械直結減速モードでは、エンジン１が出力した動力が動力分配機構４におけるキャリヤＣfおよびクラッチ機構８ならびに第２モータ・ジェネレータ３を介して変速機構６に直接入力され、さらに変速機構６での減速作用で増幅されトルクが出力軸５に伝達される。この場合、従前と同様に、第１モータ・ジェネレータ２で発電し、その電力で第２モータ・ジェネレータ３を力行させることもできる。したがってこの機械直結減速モードでは、電力変換を伴わずに出力軸５に対して動力を伝達でき、あるいは電力変換を伴う動力の伝達量を低減できる。そのため、低速高負荷時の動力伝達効率を向上させることができ、また電気系統の耐久性の向上やモータ・ジェネレータ２，３を小型化してハイブリッド駆動装置の全体としての構成の小型化を図ることができる。
【００５４】
また、機械直結減速モードを設定している状態でエンジントルクが増大した場合、それに応じて第２モータ・ジェネレータ３の出力トルクが低減される。この制御は、前述した電子制御装置１２によって行うことができ、したがって電子制御装置１２がこの発明の電動発電機制御手段に相当している。このようにエンジントルクが増大した場合、動力分配機構４から出力軸５に伝達されるトルクが増大するので、第２モータ・ジェネレータ３の出力トルクを低下させても、車両の駆動トルクを十分に確保することができる。また、第２モータ・ジェネレータ３の出力トルクを低下させることにより変速機構６に入力されるトルクが低下するので、変速機構６の小型化を図ることができる。なお、このようなエンジントルクの増大およびそれに伴う第２モータ・ジェネレータ３の出力トルクの低下の制御は、例えば第２モータ・ジェネレータ３の温度が高くなるなど、第２モータ・ジェネレータ３の負荷を低下させる状況が生じた場合に実行するように構成することができる。
【００５５】
ところで、機械直結減速モードを設定するためにクラッチ機構８を係合させる場合、同期制御を行うことが好ましい。この同期制御は、クラッチ機構８で係合させられる部材の回転数を一致させる制御であり、上記の図１に示す構成のハイブリッド駆動装置では、エンジン回転数を第２モータ・ジェネレータ３の回転数に一致させる。これは、具体的には、第１モータ・ジェネレータ２の回転数を変化させることにより、エンジン回転数を第２モータ・ジェネレータ３の回転数に一致させることにより実行することができる。このようなクラッチ機構８を係合させることによる機械直結減速モードを設定する制御と、その際の上記の同期制御とは、前述した電子制御装置１２からの指令信号に基づいて行われ、したがって前記電子制御装置１２がこの発明の第２モード設定手段に相当している。
【００５６】
前述した変速機構６における変速比は、ローブレーキＢＬoを係合させることにより大きくなり、これに対してハイブレーキＢＨiを係合させることにより相対的に小さくなる。したがって、前述したように車速が次第に増大して第２モータ・ジェネレータ３の回転数が増大した場合、言い換えれば中速状態になった場合、ローブレーキＢＬoを解放してハイブレーキＢＨiを係合させることにより、変速機構６における変速比を低下させることとしてもよい。その動作状態を図３に実線で示してある。
【００５７】
このいわゆる中速モードであっても、エンジン負荷が増大してその回転数が増大し、また車速が増大した場合、各モータ・ジェネレータ２，３の回転数が増大する。このような状態は、低速変速比を設定している状態で車速およびエンジン負荷が増大した場合と同様であり、したがって機械的な動力伝達の割合を増大させるために、機械直結減速モードを設定する。具体的には、クラッチ機構８を係合状態に切り替えてエンジン１と第２モータ・ジェネレータ３とをトルク伝達可能に連結する。その場合、前述した同期制御を実行し、運転モードの切り替えに伴うショックや出力トルク段差を回避もしくは抑制する。
【００５８】
高速変速比を設定している状態での機械直結減速モードを図５に共線図で示してある。前述したように、機械直結減速モードでは、エンジン１から動力分配機構４および第２モータ・ジェネレータ３ならびに変速機構６を介して出力軸５に伝達される動力割合が増大し、電力変換を伴う動力伝達の割合が低下するために、動力損失が少なくなり、動力の伝達効率が向上する。また、電気系統の負荷が低下してその耐久性を向上させ、またモータ・ジェネレータ２，３やハイブリッド駆動装置の小型化を図ることができる。
【００５９】
なお、機械直結減速モードに切り替える場合、ローブレーキＢＬoに替えてハイブレーキＢＨiを係合させることにより変速機構６における変速比を低速変速比から高速変速比に切り替え、その後にクラッチ機構８を係合させる。このようにすれば、高速変速比を設定することによりエンジン回転数が低下し、その状態で第２モータ・ジェネレータ３に連結するので、エンジン回転数が高くなることを抑制することができる。このような変速比の切り替えとクラッチ機構８の係合とを、順序をもって実行する手段がこの発明の第２モード設定手段に相当し、これには前記電子制御装置１２が相当する。
【００６０】
上述したこの発明に係るハイブリッド駆動装置では、車速が更に増大すると、いわゆるオーバードライブ状態に制御して、エンジン回転数に対して出力軸５の回転数を高回転数にする。これは、第１モータ・ジェネレータ２の回転数を低下させ、あるいは負回転方向（エンジン１の回転方向とは反対に回転方向）に回転させることにより設定される。その場合、第１モータ・ジェネレータ２の負方向の回転は、第１モータ・ジェネレータ２に電力を供給してこれを逆転力行させることにより達成される。そして、その電力は、第２モータ・ジェネレータ３を発電機として機能させて得られる電力、あるいは蓄電装置の電力である。したがって、第２モータ・ジェネレータ３を発電機として機能させる場合には、動力循環を可及的に抑制して全体としての動力伝達効率を向上させるために、出力スプリットモードを設定する。
【００６１】
この出力スプリットモードは、エンジン１が出力した動力の一部を出力軸５に伝達するとともに、他の動力で第２モータ・ジェネレータ３を駆動して発電させ、その電力で第１モータ・ジェネレータ２を逆転力行させる運転モードである。したがって、出力スプリットモードは第１モータ・ジェネレータ２の回転数が負回転数の場合に設定される。そして、この出力スプリットモードは、変速機構６における各ブレーキＢＨi，ＢＬoを解放させて（変速機構６をニュートラル状態にして）第２モータ・ジェネレータ３と出力軸５とを遮断し、かつクラッチ機構８を係合させて、エンジン１と第２モータ・ジェネレータ３とを連結することにより設定される。
【００６２】
このようなブレーキＢＨi，ＢＬoの解放制御とクラッチ機構８の係合制御とは、前記電子制御装置１２から出力される制御指令信号に基づいて実行され、したがって電子制御装置１２がこの発明の第１モード設定手段に相当している。また、出力スプリットモードを設定するためにクラッチ機構８を係合させる場合、前述した機械直結減速モードを設定する場合と同様に、同期制御を実行し、運転モードの切り替えに伴うショックや出力トルクの段差を回避もしくは抑制することが好ましい。その同期制御は、前述した場合と同様に、電子制御装置１２からの指令信号によって実行することができる。さらに、出力スプリットモードに切り替える場合、第１モータ・ジェネレータ２の回転数がゼロもしくはゼロに近い低回転数で変速機構６をニュートラル状態とし、その後に第２モータ・ジェネレータ３とエンジンとが回転同期した際にクラッチ機構８を係合させて出力スプリットモードに切り替える。このようにすることにより、第２モータ・ジェネレータ３のトルクが小さい状態でクラッチ機構８を係合させることになるので、切り替えショックや出力トルクの段差を抑制することができる。
【００６３】
高速巡航時における出力スプリットモードでの動作状態を図６に共線図で示してある。この状態では、エンジン１と第２モータ・ジェネレータ３とが一体となって回転し、これに対して第１モータ・ジェネレータ２が逆転力行してこれに連結されているサンギヤＳfが逆回転する。その結果、リングギヤＲfおよびこれに連結されている出力軸５が、エンジン１よりも高速で正回転する。すなわち、オーバードライブ状態となる。そのため、第２モータ・ジェネレータ３が発電機として機能するとしても、その回転数はエンジン回転数と同じであって特に高回転数になることはなく、またその電力で逆転力行する第１モータ・ジェネレータ２の回転数や出力トルクは低回転数で低トルクでよい。すなわち、電力変換を伴う動力伝達量が少なくなり、いわゆる機械的に伝達される動力の割合が多くなるので、動力伝達効率が良好になる。
【００６４】
これを前記クラッチ機構８を備えていないハイブリッド駆動装置と比較して説明すると、高速巡航時に前述した出力スプリットモードを設定していないと、図７の共線図に示しように第２モータ・ジェネレータ３を高速で正回転させて発電を行い、その電力を第１モータ・ジェネレータ２に供給してこれを逆転力行させ、その動力を動力分配機構４から出力軸５に伝達することになる。そのため、動力循環が生じ、動力損失が増大する。これに対して、この発明に係るハイブリッド駆動装置では、出力スプリットモードを設定してエンジン１の出力を出力軸５と第２モータ・ジェネレータ３とに分配（もしくは分割）し、これを出力軸５に合成して伝達するので、動力循環が生じず、その結果、動力の伝達効率あるいはエネルギ効率が向上する。
【００６５】
これを図で示すと図８のとおりである。図８は、出力スプリットモードおよび機械直結減速モードを設定できる本発明例と、出力スプリットモードおよび機械直結減速モードを設定できない比較例とについてシミュレーションを行って動力の伝達効率を求めた結果を示している。図８で実線が本発明例での動力伝達効率を示し、破線が比較例での動力伝達効率を示している。この図８から明らかなように、エンジン１と第２モータ・ジェネレータ３とを連結して高車速時に出力スプリットモードを設定し、また低中速時の高負荷状態で機械直結減速モードを設定することにより、動力の伝達効率が従来なく向上し、ひいては車両の燃費を向上させることができる。なお、図８における「●」印は、機械直結減速モードでの動力伝達効率を示している。
【００６６】
また、出力スプリットモードを設定できない構成では、電力への変換を伴う動力の伝達量が多くなるので、電気的な負荷が大きく、そのため電気系統の耐久性が低下したり、あるいはその構成が大容量化もしくは大型化する可能性がある。これに対して、この発明に係るハイブリッド駆動装置では電気的負荷が小さいので、モータ・ジェネレータ２，３を小型化し、また電気系統の耐久性を向上させることができる。
【００６７】
さらに、前述したようにクラッチ機構８を噛み合い式の係合機構によって構成し、高車速時に設定される出力スプリットモードでは変速機構６をニュートラル状態にするように構成すれば、出力スプリットモードで動力を伝達する状態を維持するのに特に動力を消費することがなく、この点でも動力の伝達効率を向上させることができる。
【図面の簡単な説明】
【００６８】
【図１】この発明に係るハイブリッド駆動装置の一例を模式的に示すスケルトン図である。
【図２】その変速機構の一例を模式的に示すスケルトン図である。
【図３】そのクラッチ機構を解放してある状態での動作状態を説明するための共線図である。
【図４】低速高負荷時での機械直結減速モードによる動作状態を説明するための共線図である。
【図５】中速高負荷時での機械直結減速モードによる動作状態を説明するための共線図である。
【図６】出力スプリットモードでの動作状態を説明するための共線図である。
【図７】動力循環状態を示す共線図である。
【図８】動力伝達効率を本発明例と比較例とについて示す線図である。
【符号の説明】
【００６９】
１…内燃機関（エンジン）、  ２…第１モータ・ジェネレータ、  ３…第２モータ・ジェネレータ、  ４…動力分配機構、  ５…出力軸、  ６…変速機構、  ８…クラッチ機構、  １２…電子制御装置、  Ｃf，Ｃ…キャリヤ、  Ｓf，Ｓ1，Ｓ2…サンギヤ、  Ｒf，Ｒ…リングギヤ、  ＢＨi…ハイブレーキ、  ＢＬo…ローブレーキ。
【図１】
2008120139.tif 000003
【図２】
2008120139.tif 000004
【図３】
2008120139.tif 000005
【図４】
2008120139.tif 000006
【図５】
2008120139.tif 000007
【図６】
2008120139.tif 000008
【図７】
2008120139.tif 000009
【図８】
2008120139.tif 000010